【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて打ち込まれた遊技球を該遊技領域にて流下させる弾球遊技において所定の条件が満たされたとき、遊技者に有利な特別遊技を行う特別遊技実行手段と、を備える遊技機であって、
前記遊技領域に設けられる第１の始動口と、
前記第１の始動口への遊技球の入球があったか否かの判断を行う第１の始動判断手段と、
前記第１の始動判断手段により前記第１の始動口への遊技球の入球があった旨判断されることに基づいて第１の抽選処理を行う第１の抽選手段と、
前記第１の抽選手段による前記第１の抽選処理の結果に応じて所定の表示部に表示される演出画像の表示態様を決定するとともに、該決定された表示態様が前記所定の表示部での主要な演出画像として現れるように前記所定の表示部に表示される演出画像についての変動表示制御を行う第１の表示制御手段と、
前記遊技領域に設けられ、可動部材を有し、前記第１の抽選処理の結果に応じて前記所定の表示部での主要な演出画像が特定の表示態様となって現れたとき、前記可動部材が動作することによって入球可能とされる第２の始動口と、
前記可動部材が動作することによって入球可能とされた前記第２の始動口に遊技球の入球があったか否かの判断を行う第２の始動判断手段と、
前記第２の始動判断手段により前記第２の始動口への遊技球の入球があった旨判断されることに基づいて第２の抽選処理を行う第２の抽選手段と、
前記第２の抽選手段による前記第２の抽選処理の結果に応じて前記所定の表示部に表示される演出画像の表示態様を決定するとともに、該決定した表示態様については、前記第１の抽選処理の結果に応じた演出画像として前記所定の表示部にて現れている前記特定の表示態様から差し替わってその主要な演出画像となって現れるように、前記所定の表示部に表示される演出画像についての表示制御を行う第２の表示制御手段と、
前記第２の抽選手段による前記第２の抽選処理の結果に応じて開放される開閉装置と、を備え、
前記特別遊技実行手段は、前記第２の抽選手段による前記第２の抽選処理にて大当たりが当選されることに基づいて前記開閉装置が開放される前記特別遊技を行うものであり、
前記第１の表示制御手段は、
前記演出画像についての変動表示制御に際し、当該変動表示制御を一旦保留の状態とする前保留手段と、
前回の変動表示制御が終了されていることを条件に、前記前保留手段による前記変動表示制御についての保留を解除して、前記演出画像についての変動表示制御を実行可能な状態とする前保留解除手段と、
前記変動表示制御についての保留が解除されたとき、前記第１の抽選処理の結果に応じた演出画像の表示態様を内部的に決定する演出画像決定手段と、
前記演出画像決定手段により内部的に決定された表示態様が前記所定の表示部での主要な演出画像として現れるように該演出画像を所定の変動時間だけ変動表示出力する画像出力手段と、
を備え、前記画像出力手段による変動表示出力を通じて前記第１の抽選処理の結果に応じた演出画像についての変動表示制御を行うものであり、
前記画像出力手段は、
前記第２の表示制御手段による表示制御が行われるときは、前記第１の抽選処理の結果に応じた演出画像についての前記変動表示出力を中止することによって、前記第２の抽選処理の結果に応じて決定された表示態様が前記第１の抽選処理の結果に応じた演出画像としての前記特定の表示態様から差し替わって前記所定の表示部での主要な演出画像として出現可能としたものであり、
前記演出画像決定手段は、
前記変動表示制御についての保留が解除されたときは、前記画像出力手段により前記第１の抽選処理の結果に応じた演出画像についての前記変動表示出力が中止されるか否かにかかわらず、前記第１の抽選処理の結果に応じた演出画像の表示態様を内部的に決定するものである
ことを特徴とする遊技機。
【請求項２】
前記第１の抽選手段は、前記第１の始動判断手段により前記第１の始動口への遊技球の入球があった旨判断されることに基づいて乱数を取得し、該取得した乱数に基づいて前記第１の抽選処理を行うものである
請求項１に記載の遊技機。
【請求項３】
前記第２の抽選手段は、前記第２の始動判断手段により前記第２の始動口への遊技球の入球があった旨判断されることに基づいて乱数を取得し、該取得した乱数に基づいて前記第２の抽選処理を行うものである
請求項１または２に記載の遊技機。
【手続補正２】
【補正対象書類名】明細書
【補正対象項目名】０００６
【補正方法】変更
【補正の内容】
【０００６】
こうした目的を達成するため、請求項１に記載の発明では、遊技領域を有し、当該遊技領域に向けて遊技球が打ち込まれる遊技盤と、前記遊技領域に向けて打ち込まれた遊技球を該遊技領域にて流下させる弾球遊技において所定の条件が満たされたとき、遊技者に有利な特別遊技を行う特別遊技実行手段と、を備える遊技機であって、前記遊技領域に設けられる第１の始動口と、前記第１の始動口への遊技球の入球があったか否かの判断を行う第１の始動判断手段と、前記第１の始動判断手段により前記第１の始動口への遊技球の入球があった旨判断されることに基づいて第１の抽選処理を行う第１の抽選手段と、前記第１の抽選手段による前記第１の抽選処理の結果に応じて所定の表示部に表示される演出画像の表示態様を決定するとともに、該決定された表示態様が前記所定の表示部での主要な演出画像として現れるように前記所定の表示部に表示される演出画像についての変動表示制御を行う第１の表示制御手段と、前記遊技領域に設けられ、可動部材を有し、前記第１の抽選処理の結果に応じて前記所定の表示部での主要な演出画像が特定の表示態様となって現れたとき、前記可動部材が動作することによって入球可能とされる第２の始動口と、前記可動部材が動作することによって入球可能とされた前記第２の始動口に遊技球の入球があったか否かの判断を行う第２の始動判断手段と、前記第２の始動判断手段により前記第２の始動口への遊技球の入球があった旨判断されることに基づいて第２の抽選処理を行う第２の抽選手段と、前記第２の抽選手段による前記第２の抽選処理の結果に応じて前記所定の表示部に表示される演出画像の表示態様を決定するとともに、該決定した表示態様については、前記第１の抽選処理の結果に応じた演出画像として前記所定の表示部にて現れている前記特定の表示態様から差し替わってその主要な演出画像となって現れるように、前記所定の表示部に表示される演出画像についての表示制御を行う第２の表示制御手段と、前記第２の抽選手段による前記第２の抽選処理の結果に応じて開放される開閉装置と、を備え、前記特別遊技実行手段は、前記第２の抽選手段による前記第２の抽選処理にて大当たりが当選されることに基づいて前記開閉装置が開放される前記特別遊技を行うものであり、前記第１の表示制御手段は、前記演出画像についての変動表示制御に際し、当該変動表示制御を一旦保留の状態とする前保留手段と、前回の変動表示制御が終了されていることを条件に、前記前保留手段による前記変動表示制御についての保留を解除して、前記演出画像についての変動表示制御を実行可能な状態とする前保留解除手段と、前記変動表示制御についての保留が解除されたとき、前記第１の抽選処理の結果に応じた演出画像の表示態様を内部的に決定する演出画像決定手段と、前記演出画像決定手段により内部的に決定された表示態様が前記所定の表示部での主要な演出画像として現れるように該演出画像を所定の変動時間だけ変動表示出力する画像出力手段と、を備え、前記画像出力手段による変動表示出力を通じて前記第１の抽選処理の結果に応じた演出画像についての変動表示制御を行うものであり、前記画像出力手段は、前記第２の表示制御手段による表示制御が行われるときは、前記第１の抽選処理の結果に応じた演出画像についての前記変動表示出力を中止することによって、前記第２の抽選処理の結果に応じて決定された表示態様が前記第１の抽選処理の結果に応じた演出画像としての前記特定の表示態様から差し替わって前記所定の表示部での主要な演出画像として出現可能としたものであり、前記演出画像決定手段は、前記変動表示制御についての保留が解除されたときは、前記画像出力手段により前記第１の抽選処理の結果に応じた演出画像についての前記変動表示出力が中止されるか否かにかかわらず、前記第１の抽選処理の結果に応じた演出画像の表示態様を内部的に決定するものであることを要旨とする。
また、請求項２に記載の発明では、請求項１に記載の遊技機において、前記第１の抽選手段は、前記第１の始動判断手段により前記第１の始動口への遊技球の入球があった旨判断されることに基づいて乱数を取得し、該取得した乱数に基づいて前記第１の抽選処理を行うものであることを要旨とする。
また、請求項３に記載の発明では、請求項１または２に記載の遊技機において、前記第２の抽選手段は、前記第２の始動判断手段により前記第２の始動口への遊技球の入球があった旨判断されることに基づいて乱数を取得し、該取得した乱数に基づいて前記第２の抽選処理を行うものであることを要旨とする。